(57)【要約】【課題】廃棄する場合に部品を分解して材料ごとに分別する面倒がなく、綴じ込んだ中綴じパンフレットや雑誌等の頁を捲って見ることが容易なファイルであって、中綴じパンフレットや雑誌等を綴じこみやすく確実に掛止でき、取り出しやすいファイルを提供する。【解決手段】プラスチック製の表紙体の背表紙の内面側の上端付近と下端付近に、プラスチック製の基部が溶着又は接着されており、上側基部からヒンジ部を介して側面視上下反転略Ｌ字状のプラスチック製の綴片Ａが延出しており、下側基部からヒンジ部を介して側面視略Ｌ字状のプラスチック製の綴片Ｂが延出しており、綴片Ａの自由端ａは側面視略逆レの字状であり、綴片Ｂの自由端ｂは側面視上下左右反転略逆レの字状であり、自由端ａの略逆レの字の鋭角部角度θおよび自由端ｂの上下左右反転略逆レの字の鋭角部角度θが実質的に同一であり、プラスチック製の断面が扁平な筒状体に自由端ａと自由端ｂとが突合せ状態で挿脱自在に収納されているファイル。【選択図】図１
2010058465.tif 000002
【特許請求の範囲】
【請求項１】
プラスチック製の表紙体の背表紙の内面側の上端付近と下端付近に、プラスチック製の基部が溶着又は接着されており、上側基部からヒンジ部を介して側面視上下反転略Ｌ字状のプラスチック製の綴片Ａが延出しており、下側基部からヒンジ部を介して側面視略Ｌ字状のプラスチック製の綴片Ｂが延出しており、
綴片Ａの自由端ａは側面視略レの字状であり、綴片Ｂの自由端ｂは側面視上下左右反転略レの字状であり、自由端ａの略レの字の鋭角部角度θおよび自由端ｂの上下左右反転略レの字の鋭角部角度θが実質的に同一であり、
又は、綴片Ａの自由端ａは側面視略逆レの字状であり、綴片Ｂの自由端ｂは側面視上下左右反転略逆レの字状であり、自由端ａの略逆レの字の鋭角部角度θおよび自由端ｂの上下左右反転略逆レの字の鋭角部角度θが実質的に同一であり、
プラスチック製の断面が扁平な筒状体に自由端ａと自由端ｂとが突合せ状態で挿脱自在に収納されていることを特徴とするファイル。
【請求項２】
上側基部と下側基部とが一連であることを特徴とする請求項１記載のファイル。
【請求項３】
綴片Ａは上側基部の左右両側端から各ヒンジ部を介して延出しており、綴片Ｂは下側基部の左右両側端から各ヒンジ部を介して延出していることを特徴とする請求項１または請求項２記載のファイル。
【請求項４】
プラスチック製の表紙体の背表紙の内面側の上端付近と下端付近に、プラスチック製の基部が溶着又は接着されており、上側基部から３つ以上のヒンジ部を介して、各ヒンジ部において側面視上下反転略Ｌ字状のプラスチック製の綴片Ａが延出しており、下側基部から３つ以上のヒンジ部を介して、各ヒンジ部において側面視略Ｌ字状のプラスチック製の綴片Ｂが延出している（但し、綴片Ａと綴片Ｂの数は同数である。）ことを特徴とする請求項１または請求項２記載のファイル。
【請求項５】
綴片Ａと綴片Ｂと上側基部と下側基部と断面が扁平な筒状体からなるプラスチック製綴じ具を複数平行に配置して、プラスチック製の表紙体の背表紙の内面側に溶着又は接着されたことを特徴とする請求項１〜請求項４のいずれか１項記載のファイル。
【請求項６】
自由端ａの略レの字の鋭角部角度θ、自由端ｂの上下左右反転略レの字の鋭角部角度θ、自由端ａの略逆レの字の鋭角部角度θ、および自由端ｂの上下左右反転略逆レの字における略逆レの字の鋭角部角度θが１０度〜４５度であることを特徴とする請求項１〜請求項５のいずれか１項記載のファイル。
【請求項７】
前記自由端ａ及び／又は自由端ｂと基部側の綴片の他の部分との間に、該綴片の他の部分の幅及び／又は厚みが大きくなる段差が設けられていることを特徴とする請求項１〜請求項６のいずれか１項記載のファイル。
【請求項８】
前記扁平な筒状体の表側の扁平面の端辺と裏側の扁平面の端辺とが、ずれて配されていることを特徴とする請求項１〜請求項７のいずれか１項記載のファイル。
【請求項９】
プラスチック製の表紙体の背表紙の内面側の上端付近と下端付近に、プラスチック製の基部が溶着又は接着されており、上側基部からヒンジ部を介して側面視上下反転略Ｌ字状のプラスチック製の綴片Ａが延出しており、下側基部からヒンジ部を介して側面視略Ｌ字状のプラスチック製の綴片Ｂが延出しており、
綴片Ａの自由端ａは側面視略レの字状であり、綴片Ｂの自由端ｂは側面視上下左右反転略レの字状であり、自由端ａの略レの字の鋭角部角度θおよび自由端ｂの上下左右反転略レの字の鋭角部角度θが実質的に同一であり、
又は、綴片Ａの自由端ａは側面視略逆レの字状であり、綴片Ｂの自由端ｂは側面視上下左右反転略逆レの字状であり、自由端ａの略逆レの字の鋭角部角度θおよび自由端ｂの上下左右反転略逆レの字の鋭角部角度θが実質的に同一であり、
プラスチック製の断面が扁平な筒状体に自由端ａと自由端ｂとが突合せ状態で収納されており、自由端ａと自由端ｂのうちの一方が前記筒状体に挿入されて固定されており、自由端ａと自由端ｂのうちの他方が前記筒状体に挿脱自在であることを特徴とするファイル。
【発明の詳細な説明】
【技術分野】
【０００１】
本発明は、パンフレットや雑誌等を綴じ込むのに適したファイルに関する。
【背景技術】
【０００２】
従来、紙又はプラスチック製の表紙体における背表紙部の内面側に鋼鉄製の線材を用いた綴棒を備えた綴込体を取付けて、パンフレットや雑誌等の頁の間にその綴棒を挟んで、そのパンフレットや雑誌等を綴棒に掛止して保持する方式のファイルが存在する。
【０００３】
この種のファイルは、廃棄する場合に、紙又はプラスチック製の表紙体から鋼鉄製の線材を用いた綴棒を備えた綴込体を取り外して、材料ごとに分別しなければならないという面倒がある。
【０００４】
そこで、本発明者は、特許文献１記載のパンフレットや雑誌等の頁の間に挟んでそのパンフレットや雑誌等を掛止可能な綴片の長手方向の両端部にそれぞれ取付基板を一体的に設けるとともに、その取付基板と綴片の境界に綴片を取付基板に対し起伏自在とするヒンジ溝を設けて成るプラスチック製の綴込体を形成して、その綴込体を同じくプラスチック製の表紙体における背表紙部の内面側にその取付基板を背表紙部に対し超音波等による溶着により接合して取付けたことを特徴とするファイルを発明した。該ファイルは、廃棄する場合に部品を分解して材料ごとに分別する面倒がなく、又、綴じ込んだパンフレットや雑誌等の頁を捲って見ることが容易である。なお、同様なファイルとして、特許文献２記載の中綴じ冊子体用のファイルが知られている。
【０００５】
しかし、特許文献１記載のファイルは、パンフレットや雑誌等を該ファイルに綴じ込む際や取り出す際に、綴じ込みにくく、取り出しにくいという問題がある。特には、複数のパンフレットや雑誌等がファイルに綴じ込まれている状態で、他のパンフレットや雑誌等を入れ込む場合や綴じ込まれているパンフレットや雑誌等を一部取り出す場合に、綴じ込まれている複数のパンフレットや雑誌等の厚みによって、綴片と背表紙部の内面との間のパンフレットや雑誌等の挿入口が実質的に狭くなり、綴じ込みにくく、取り出しにくいという問題がある。この問題は、例えば、月刊である中綴じパンフレットや雑誌等１２月分を一つのファイルに、綴じ込んでいる状態から、次年度において、前年度の各月分の中綴じパンフレットや雑誌等を新しい年度の各月分の中綴じパンフレットや雑誌等に入れ替える場合に特に問題となる。
【０００６】
【特許文献１】特開２００２−３１６４９４
【特許文献２】特開２００４−０２５４６６
【発明の開示】
【発明が解決しようとする課題】
【０００７】
本発明は、上記問題点のないファイルを開発すべく鋭意研究した結果なされたもので、その目的は、廃棄する場合に部品を分解して材料ごとに分別する面倒がなく、又、綴じ込んだ中綴じパンフレットや雑誌等の頁を捲って見ることが容易なファイルであって、中綴じパンフレットや雑誌等を綴じこみやすく、確実に掛止でき、必要時に取り出しやすいファイルを提供することにある。
【課題を解決するための手段】
【０００８】
この目的は、
「[１]プラスチック製の表紙体の背表紙の内面側の上端付近と下端付近に、プラスチック製の基部が溶着又は接着されており、上側基部からヒンジ部を介して側面視上下反転略Ｌ字状のプラスチック製の綴片Ａが延出しており、下側基部からヒンジ部を介して側面視略Ｌ字状のプラスチック製の綴片Ｂが延出しており、
綴片Ａの自由端ａは側面視略レの字状であり、綴片Ｂの自由端ｂは側面視上下左右反転略レの字状であり、自由端ａの略レの字の鋭角部角度θおよび自由端ｂの上下左右反転略レの字の鋭角部角度θが実質的に同一であり、
又は、綴片Ａの自由端ａは側面視略逆レの字状であり、綴片Ｂの自由端ｂは側面視上下左右反転略逆レの字状であり、自由端ａの略逆レの字の鋭角部角度θおよび自由端ｂの上下左右反転略逆レの字の鋭角部角度θが実質的に同一であり、
プラスチック製の断面が扁平な筒状体に自由端ａと自由端ｂとが突合せ状態で挿脱自在に収納されていることを特徴とするファイル。
[２]上側基部と下側基部とが一連であることを特徴とする[１]記載のファイル。
[３]綴片Ａは上側基部の左右両側端から各ヒンジ部を介して延出しており、綴片Ｂは下側基部の左右両側端から各ヒンジ部を介して延出していることを特徴とする[１]または[２]記載のファイル。
[４]プラスチック製の表紙体の背表紙の内面側の上端付近と下端付近に、プラスチック製の基部が溶着又は接着されており、上側基部から３つ以上のヒンジ部を介して、各ヒンジ部において側面視上下反転略Ｌ字状のプラスチック製の綴片Ａが延出しており、下側基部から３つ以上のヒンジ部を介して、各ヒンジ部において側面視略Ｌ字状のプラスチック製の綴片Ｂが延出している（但し、綴片Ａと綴片Ｂの数は同数である。）ことを特徴とする[１]または[２]記載のファイル。
[５]綴片Ａと綴片Ｂと上側基部と下側基部と断面が扁平な筒状体からなるプラスチック製綴じ具を複数平行に配置して、プラスチック製の表紙体の背表紙の内面側に溶着又は接着されたことを特徴とする[１]〜[４]のいずれかに記載のファイル。
[６]自由端ａの略レの字の鋭角部角度θ、自由端ｂの上下左右反転略レの字の鋭角部角度θ、自由端ａの略逆レの字の鋭角部角度θ、および自由端ｂの上下左右反転略逆レの字における略逆レの字の鋭角部角度θが１０度〜４５度であることを特徴とする[１]〜[５]のいずれかに記載のファイル。
[７]前記自由端ａ及び／又は自由端ｂと基部側の綴片の他の部分との間に、該綴片の他の部分の幅及び／又は厚みが大きくなる段差が設けられていることを特徴とする[１]〜[６]のいずれかに記載のファイル。
[８]前記扁平な筒状体の表側の扁平面の端辺と裏側の扁平面の端辺とが、ずれて配されていることを特徴とする[１]〜[７]のいずれかに記載のファイル。
[９]プラスチック製の表紙体の背表紙の内面側の上端付近と下端付近に、プラスチック製の基部が溶着又は接着されており、上側基部からヒンジ部を介して側面視上下反転略Ｌ字状のプラスチック製の綴片Ａが延出しており、下側基部からヒンジ部を介して側面視略Ｌ字状のプラスチック製の綴片Ｂが延出しており、
綴片Ａの自由端ａは側面視略レの字状であり、綴片Ｂの自由端ｂは側面視上下左右反転略レの字状であり、自由端ａの略レの字の鋭角部角度θおよび自由端ｂの上下左右反転略レの字の鋭角部角度θが実質的に同一であり、
又は、綴片Ａの自由端ａは側面視略逆レの字状であり、綴片Ｂの自由端ｂは側面視上下左右反転略逆レの字状であり、自由端ａの略逆レの字の鋭角部角度θおよび自由端ｂの上下左右反転略逆レの字の鋭角部角度θが実質的に同一であり、
プラスチック製の断面が扁平な筒状体に自由端ａと自由端ｂとが突合せ状態で収納されており、自由端ａと自由端ｂのうちの一方が前記筒状体に挿入されて固定されており、自由端ａと自由端ｂのうちの他方が前記筒状体に挿脱自在であることを特徴とするファイル。」により達成される。
【発明の効果】
【０００９】
本発明のファイルは、表紙体、基部、綴片、筒状体および表紙体が共にプラスチック製で、かつ、綴じ具の基部をリベット等の金具を用いずに溶着又は接着により表紙体に接合しているので、廃棄する場合に分解して材料ごとに分別する面倒がない。綴じ具の綴片を基部に対しヒンジ部により起伏自在としているので、綴片で掛止した中綴じパンフレットや雑誌等の頁を捲るときに綴片が倒れて頁が開きやすく、見ることが容易である。綴片Ａと綴片Ｂとが、断面が扁平な筒状体に挿脱自在に収納されており、該筒状体から綴片Ａないし綴片Ｂを容易に脱離できるので、パンフレットや雑誌等を綴じこみやすく、取り出しやすい。綴片Ａと綴片Ｂの鋭角部角度を有する自由端同士の突合せと断面が扁平な筒状体による継合により、綴片の軸方向および側面方向に対して垂直な方向への掛止力に優れるので、綴じ込んだ中綴じパンフレットや雑誌等を確実に掛止できる。
【発明を実施するための最良の形態】
【００１０】
本発明のファイルについて、各実施形態を示した図を用いて詳細に説明する。
【００１１】
図１は、本発明の第１実施形態であるファイルの斜視図である。図２は、本発明の第１実施形態であるファイルにおける綴じ具Ｔ１の側面図である。本発明の第１実施形態であるファイルは、プラスチック製の表紙体１の背表紙２の内面側の上端付近２ａと下端付近２ｂに、プラスチック製の基部３ａ、３ｂが溶着又は接着されており、上側基部３ａの左右両側端から各ヒンジ部４ａを介して側面視上下反転略Ｌ字状のプラスチック製の各綴片Ａが延出しており、下側基部３ｂの左右両側端から各ヒンジ部４ｂを介して側面視略Ｌ字状のプラスチック製の各綴片Ｂが延出しており、
綴片Ａの自由端ａは側面視略逆レの字状であり、綴片Ｂの自由端ｂは側面視上下左右反転略逆レの字状であり、自由端ａの略逆レの字の鋭角部角度θおよび自由端ｂの上下左右反転略逆レの字の鋭角部角度θが実質的に同一であり、
プラスチック製の断面が扁平な筒状体５に自由端ａと自由端ｂとが突合せ状態で挿脱自在に収納されているファイルであって、２つの綴片Ａと２つの綴片Ｂと上側基部３ａと下側基部３ｂと断面が扁平な筒状体５からなるプラスチック製綴じ具Ｔ１を３セット平行に配置して、プラスチック製の表紙体の背表紙の内面側に溶着又は接着されたファイルＦ１である。図１では、プラスチック製綴じ具Ｔ１は３セットであるが、２セット、４セット、５セット、６セットまたはそれ以上であってもよい。月刊の中綴じパンフレットや雑誌のファイリング用には６セットが好適である。
【００１２】
本発明のファイルは、第１実施形態の構成をとることに限るものではなく、プラスチック製の表紙体の背表紙の内面側の上端付近と下端付近に、プラスチック製の基部が溶着又は接着されており、上側基部からヒンジ部を介して側面視上下反転略Ｌ字状のプラスチック製の綴片Ａが延出しており、下側基部からヒンジ部を介して側面視略Ｌ字状のプラスチック製の綴片Ｂが延出しており、綴片Ａの自由端ａは側面視略レの字状であり、綴片Ｂの自由端ｂは側面視上下左右反転略レの字状であり、自由端ａの略レの字の鋭角部角度θおよび自由端ｂの上下左右反転略レの字の鋭角部角度θが実質的に同一であり、又は、綴片Ａの自由端ａは側面視略逆レの字状であり、綴片Ｂの自由端ｂは側面視上下左右反転略逆レの字状であり、自由端ａの略逆レの字の鋭角部角度θおよび自由端ｂの上下左右反転略逆レの字の鋭角部角度θが実質的に同一であり、プラスチック製の断面が扁平な筒状体に自由端ａと自由端ｂとが突合せ状態で挿脱自在に収納されていればよい。綴じ込んだ中綴じパンフレットや雑誌等のページに印刷された文字などに、綴片Ａ、綴片Ｂがかからないようにするために、綴片Ａ、綴片Ｂの幅は７ｍｍ〜１５ｍｍが好ましい。また、綴片と表紙体の背表紙部の内面との間のパンフレットや雑誌等の挿入口の高さは、綴じこむ中綴じパンフレットや雑誌等のページ数に応じて設定される。
【００１３】
本発明のファイルにおいて、表紙体、基部、綴片のプラスチックがポリプロピレン樹脂またはポリエステル樹脂であり、筒状体のプラスチックが硬質塩化ビニル樹脂、ポリプロピレン樹脂またはポリエステル樹脂であることが好ましい。基部、綴片のプラスチックの厚さは０．４ｍｍ〜１．２ｍｍが好ましく、筒状体のプラスチックの厚さは０．１ｍｍ〜０．７ｍｍが好ましく、より好ましくは０．１ｍｍ〜０．３ｍｍである。
【００１４】
綴じ具Ｔ１は、図３に示すように、１枚のプラスチック板を打ち抜いて形成することができる。すなわち、１枚のプラスチック板の中央部を刳り抜いて略枠状を呈するようにして、その両側の長辺部のそれぞれ中央付近に斜めに切込みを入れて、綴片Ａ、綴片Ｂからなる綴片を形成するとともに、その両側の短辺部をそれぞれ基部３ａ、３ｂとなし、又、両側の短辺部の裏面側における両端２個所にそれぞれ切込溝を平行に設けてヒンジ部４ａ、４ｂを形成することにより作製することができる。このとき、前記斜めの切り込みは、完全に切り込まないで、一部繋がっていることが好ましい。
そして、図１に示すように、その綴片Ａ、綴片Ｂをそれぞれ基部３ａ、３ｂに対しヒンジ部４ａ、４ｂで略垂直に折り曲げて起立させた状態にして表紙体１における背表紙部２の内面側に取付けることができる。そして、綴じ具Ｔ１は、その基部３ａ、３ｂを表紙体１の背表紙部２に対し、リベット等の金具を使用せずに、溶着又は接着により取付ける。図中、符号６がその溶着部を示すものである。綴じ具Ｔ１が表紙体１の背表紙部２に固定されてから、前記綴片の切り込みにおける一部繋がっている箇所を、手などで容易に切断することが好ましい。このようにすれば、表紙体１の背表紙部２に固定前に綴じ具Ｔ１を２つに分断することなく、綴じ具Ｔ１を一体的に表紙体１の背表紙部２に固定できるので、適正な位置に固定でき、自由端ａと自由端ｂとの突合せ性を向上することができる。
【００１５】
本発明のファイル用の綴じ具は、図４の綴じ具Ｔ２のように、綴片Ａの自由端ａは側面視略レの字状であり、綴片Ｂの自由端ｂは側面視上下左右反転略レの字状であり、自由端ａの略レの字の鋭角部角度θおよび自由端ｂの上下左右反転略レの字の鋭角部角度θが実質的に同一とすることが好ましい。自由端ａの傾斜辺と自由端ｂの傾斜辺は密接していても、わずかに離れていても良い。
【００１６】
本発明のファイル用の綴じ具は、図５の綴じ具Ｔ３のように、上側基部と下側基部とが一連であることが好ましい。綴じ具Ｔ３の場合、綴じ具Ｔ３を表紙体１の背表紙部２に固定する前において綴片の中央付近に斜めに切込む際、完全に切断しても、綴じ具は２つ分断されることなく、綴じ具Ｔ３を一体的に表紙体１の背表紙部２に固定できるので、適正な位置に固定でき、自由端ａと自由端ｂとの突合せ性を向上できる。
【００１７】
本発明のファイル用の綴じ具は、図６の綴じ具Ｔ４のように、一連の基部から３つ以上の、綴片Ａと綴片Ｂからなる綴片が延出している構成のものであってもよい。つまり、プラスチック製の表紙体の背表紙の内面側の上端付近と下端付近に、プラスチック製の基部が溶着又は接着されており、上側基部から３つ以上のヒンジ部を介して、各ヒンジ部において側面視上下反転略Ｌ字状のプラスチック製の綴片Ａが延出しており、下側基部から３つ以上のヒンジ部を介して、各ヒンジ部において側面視略Ｌ字状のプラスチック製の綴片Ｂが延出している（但し、綴片Ａと綴片Ｂの数は同数である。）綴じ具であってもよい。なお、図６では、上側基部３ａ、下側基部３ｂからそれぞれ４つの綴片Ａ、４つの綴片Ｂが延出している。
【００１８】
このような一連の基部から３つ以上の綴片が延出している構成の綴じ具Ｔ４も、綴じ具Ｔ１と同様に、１枚のプラスチック板を打ち抜いて形成することができる。この綴じ具は、その綴片を基部に対しヒンジ部で略垂直に折り曲げて起立させた状態にして、表紙体における背表紙部の内面側に、その基部を溶着又は接着により取付ける。また、図７のような一連の基部から３つ以上の綴片が延出している構成の綴じ具Ｔ５の基部と綴片は、射出成形によっても形成することができる。すなわち、綴片Ａと綴片Ｂとからなる綴片を複数平行に配置するとともに、それら綴片の両端部に一連の基部を設けて綴じ具を構成することができる。この綴じ具は、表紙体における背表紙部の内面側に、その基部を溶着又は接着により取付ける。
【００１９】
本発明のファイルにおいて、断面が扁平な筒状体に自由端ａと自由端ｂとが突合せ状態で挿脱自在に収納されていることにより、綴片Ａと綴片Ｂとが、扁平な筒状体により継合・脱離自在にされているので、中綴じパンフレットや雑誌等を綴じこみやすく、綴じ込んだ中綴じパンフレットや雑誌等を確実に掛止でき、必要時に取り出しやすい。
本発明のファイルにおいて、自由端ａの略レの字の鋭角部角度θおよび自由端ｂの上下左右反転略レの字の鋭角部角度θが実質的に同一、および、自由端ａの略逆レの字の鋭角部角度θおよび自由端ｂの上下左右反転略逆レの字の鋭角部角度θが実質的に同一における、実質的同一とは、筒軸が略直線である断面が扁平な筒状体に挿入可能なように、自由端ａと自由端ｂとが突合せ状態で綴片Ａの長手方向軸と綴片Ｂの長手方向軸とが直線的になる程度に、各鋭角部角度θが実質的に同一であるという意味である。
【００２０】
本発明のファイル用の綴じ具において、断面が扁平な筒状体の筒内部の幅Ｗは、突合せ状態の自由端ａと自由端ｂにおける幅方向の両側の外端面７がともに断面が扁平な筒状体の筒内部端面８に当接する幅であることが好ましいが、突合せ状態の自由端ａと自由端ｂの外端面７と断面が扁平な筒状体の筒内部端面８との間に１．０ｍｍ以内のあそびがあってもよい（図８）。なお、図８は、図２の綴じ具Ｔ１のＺ−Ｚ断面図である。
本発明のファイル用の綴じ具において、断面が扁平な筒状体の筒内部の厚みＤは、突合せ状態の自由端ａと自由端ｂにおける厚み方向の両面９がともに断面が扁平な筒状体の筒内部扁平面１０に当接する厚みであることが好ましいが、自由端ａや自由端ｂの扁平面９と断面が扁平な筒状体の筒内部扁平面１０との間に０．５ｍｍ以内のあそびがあってもよい（図８）。
本発明のファイル用の綴じ具において、断面が扁平な筒状体の筒軸方向の長さは、突合せ状態の自由端ａと自由端ｂにおいて互いに突合わされている突合せ端辺が完全に筒状体に収納される長さ以上であることが好ましい。なお、本発明のファイル用の綴じ具において、自由端とは、少なくとも突合せ端辺を含み、筒状体に収納される部分を示す。
【００２１】
本発明のファイル用の綴じ具において、自由端ａの略レの字の鋭角部角度θ、自由端ｂの上下左右反転略レの字の鋭角部角度θ、自由端ａの略逆レの字の鋭角部角度θ、および自由端ｂの上下左右反転略逆レの字における略逆レの字の鋭角部角度θは、１０度〜４５度であり、好ましくは１０〜２０度であり、より好ましくは１２度〜１８度である。鋭角部角度θが小さすぎると筒状体が長くなって挿脱の際不便であり、鋭角部角度θが大きいと綴じ込んだ中綴じパンフレットや雑誌等の掛止能力が乏しくなるからである。
【００２２】
本発明のファイル用の綴じ具において、図９、図１０に示すように、自由端ａ及び／又は自由端ｂと基部側の綴片の他の部分との間に、該綴片の他の部分の幅及び／又は厚みが大きくなる段差が設けられていることが好ましい。図９は、自由端ａ及び自由端ｂと基部側の綴片の他の部分との間に、該綴片の他の部分の幅が大きくなる段差が設けられている態様の綴じ具Ｔ６の側面図であり、図１０は図９の状態から断面が扁平な筒状体５が脱離された状態の綴じ具Ｔ６であり、段差１１ａと段差１１ｂが設けられている。このような態様により、前記段差がストッパー機構として働き、断面が扁平な筒状体を適正な位置に保つことができる。幅方向、厚み方向の段差の大きさは、０．８ｍｍ〜１．５ｍｍであることが好ましい。
【００２３】
本発明のファイル用の綴じ具において、図１１に示すような、表側の扁平面の端辺５ｔと裏側の扁平面の端辺５ｒとが、ずれて配されている断面が扁平な筒状体を採用することにより、自由端ａや自由端ｂを断面が扁平な筒状体に挿入することが容易となる。表側の扁平面の端辺５ｔと裏側の扁平面の端辺５ｒとのずれ幅、つまり表側の扁平面の端辺５ｔと裏側の扁平面の端辺５ｒとの距離は、０．８ｍｍ以上であることが好ましい。
【００２４】
本発明のファイルは、綴片Ａと綴片Ｂの鋭角部角度を有する自由端同士の突合せと断面が扁平な筒状体による継合により、綴片の軸方向や綴片の側面方向に対して垂直な方向への掛止力に優れるので、綴じ込んだ中綴じパンフレットや雑誌等を確実に掛止できる。なお、綴片の軸方向とは、図１２のＹａ、Ｙｂで示す方向であり、綴片の側面方向とは、図１２のＸａ、Ｘｂで示す方向（但し、Ｘａ、Ｘｂ方向の負の方向でもよい。）であり、綴片の軸方向および側面方向に対して垂直な方向とは、図１２のＺａ、Ｚｂで示す方向（但し、Ｚａ、Ｚｂ方向の負の方向でもよい。）である。また、綴片Ａないし綴片ＢをそれぞれＹａ、Ｙｂ方向に引っ張ること、もしくはＸａ、Ｘｂ方向（Ｘａ、Ｘｂ方向の負の方向）に力を加えることにより、筒状体から綴片Ａないし綴片Ｂを容易に脱離でき、中綴じパンフレットや雑誌等の綴じこみや取り出しが容易である。なお、図１２には、綴じ具Ｔ１の綴片Ａおよび綴片Ｂを示したが、上記は綴じ具Ｔ１に限るものではない。
【００２５】
次に本発明の第２実施形態であるファイルについて、図１３を用いて説明する。
本発明の第２実施形態であるファイルは、プラスチック製の表紙体１の背表紙２の内面側の上端付近２ａと下端付近２ｂに、プラスチック製の基部３ａ、３ｂが溶着又は接着されており、上側基部２ａの左右両端から各ヒンジ部４ａを介して側面視上下反転略Ｌ字状のプラスチック製の各綴片Ａが延出しており、下側基部２ｂの左右両端から各ヒンジ部４ｂを介して側面視略Ｌ字状のプラスチック製の各綴片Ｂが延出しており、綴片Ａの自由端ａは側面視略逆レの字状であり、綴片Ｂの自由端ｂは側面視上下左右反転略逆レの字状であり、自由端ａの略逆レの字の鋭角部角度θおよび自由端ｂの上下左右反転略逆レの字の鋭角部角度θが実質的に同一であり、プラスチック製の断面が扁平な筒状体５に自由端ａと自由端ｂとが突合せ状態で挿脱自在に収納されており、自由端ａと自由端ｂのうちの一方が前記筒状体に挿入されて固定されており、自由端ａと自由端ｂのうちの他方が前記筒状体に挿脱自在であるファイルであって、２つの綴片Ａと２つの綴片Ｂと上側基部３ａと下側基部３ｂと断面が扁平な筒状体５からなるプラスチック製綴じ具Ｔ７を３セット平行に離間配置して、プラスチック製の表紙体１の背表紙２の内面側に溶着又は接着されたファイルＦ２である。なお、図１３では、自由端ａが扁平な筒状体５に、溶着によって固定されている。図１３中の符号１２は、溶着部を示す。図１３では、プラスチック製綴じ具Ｔ７は３セットであるが、２セット、４セット、５セット、６セットまたはそれ以上であってもよい。月刊の中綴じパンフレットや雑誌のファイリング用には６セットが好適である。
【００２６】
本発明の第２実施形態であるファイルは、自由端ａと自由端ｂのうちの一方が筒状体に固定されており、自由端ａと自由端ｂのうちの他方が前記筒状体に挿脱自在であるので、筒状体を適正な位置に保つことできる。また、筒状体が一方の自由端に固定されているので、パンフレットや雑誌等の綴じ込みや取り出しの際に、自由端の断面が扁平な筒状体への挿脱の手間が減る。また、筒状体を紛失する恐れが無い。
【産業上の利用可能性】
【００２７】
本発明のファイルは、中綴じパンフレットや小冊子等を綴じ込み保管するのに有用である。特に、季刊や月刊の中綴じ刊行物を年度分まとめて綴じ込み、新刊を入手するつど、もっとも古い刊行物を取り出して新刊に差替えていくのに便利である。
【図面の簡単な説明】
【００２８】
【図１】図１は、本発明の第１実施形態であるファイルの斜視図である。但し、左から２つの綴片から筒状体を外してある状態である。
【図２】図２は、本発明の第１実施形態であるファイルにおける綴じ具Ｔ１の側面図である。
【図３】図３は、本発明の第１実施形態であるファイルにおける綴じ具Ｔ１の綴片を起立させていなく、筒状体を外してある状態の斜視図である。
【図４】図４は、本発明のファイルにおける綴じ具Ｔ２の側面図である。
【図５】図５は、本発明のファイルにおける綴じ具Ｔ３の側面図である。
【図６】図６は、本発明のファイルにおける綴じ具Ｔ４の斜視図である。
【図７】図７は、本発明のファイルにおける綴じ具Ｔ５の斜視図である。但し、左から２つの綴片から筒状体を外してある状態である。
【図８】図８は、図２の綴じ具Ｔ１のＺ−Ｚ断面図である。
【図９】図９は、本発明のファイルにおける綴じ具Ｔ６の側面図である。
【図１０】図１０は、本発明のファイルにおける綴じ具Ｔ６の側面図である。但し、筒状体を外してある状態である。
【図１１】図１１は、本発明のファイルにおける断面が扁平な筒状体の斜視図である。
【図１２】図１２は、綴じ具Ｔ１の綴片Ａおよび綴片Ｂの斜視図であり、綴片の軸方向、綴片の側面方向、綴片の軸方向および側面方向に対して垂直な方向を示す矢印で示した図である。
【図１３】図１３は、本発明の第２実施形態であるファイルの斜視図である。
【符号の説明】
【００２９】
Ａ    プラスチック製の綴片
Ｂ    プラスチック製の綴片
ａ    自由端
ｂ    自由端
θ    自由端の鋭角部角度
１    プラスチック製の表紙体
２    背表紙
２ａ  背表紙の上端
２ｂ  背表紙の下端
３ａ  上側基部
３ｂ  下側基部
４ａ  ヒンジ部
４ｂ  ヒンジ部
５    プラスチック製の断面が扁平な筒状体
５ｔ  プラスチック製の断面が扁平な筒状体の表側の扁平面の端辺
５ｒ  プラスチック製の断面が扁平な筒状体の裏側の扁平面の端辺
６    溶着部
７    突合せ状態の自由端ａと自由端ｂにおける幅方向の両側の外端面
８    断面が扁平な筒状体の筒内部端面
９    突合せ状態の自由端ａと自由端ｂにおける厚み方向の両面
１０    断面が扁平な筒状体の筒内部扁平面
１１ａ  段差
１１ｂ  段差
１２    溶着部
【図１】
2010058465.tif 000003
【図２】
2010058465.tif 000004
【図３】
2010058465.tif 000005
【図４】
2010058465.tif 000006
【図５】
2010058465.tif 000007
【図６】
2010058465.tif 000008
【図７】
2010058465.tif 000009
【図８】
2010058465.tif 000010
【図９】
2010058465.tif 000011
【図１０】
2010058465.tif 000012
【図１１】
2010058465.tif 000013
【図１２】
2010058465.tif 000014
【図１３】
2010058465.tif 000015